【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
通信ネットワークにおいて、基地局からユーザ機器へ、複数ビットを含むトランスポートブロックを送信する方法であって、
前記ユーザ機器から受信品質に関する情報を受信するステップと、
前記受信品質に基づいてトランスポートフォーマットを選択するステップと、
初回の送信のために、前記受信品質に関してかつトランスポートブロックに対する復号化性能に基づいて、動的に第１の冗長バージョンパラメータを選択するステップと、
初回の送信において、前記動的に選択された第１の冗長バージョンパラメータ及び前記選択されたトランスポートフォーマットに従って配分された前記複数ビットを含む前記トランスポートブロックを、前記ユーザ機器へ送信するステップと、を含む方法。
【請求項２】
前記方法は更に、
前記第１の冗長バージョンパラメータに基づいて第２の冗長バージョンパラメータを選択するステップと、
前記動的に選択された第２の冗長バージョンパラメータ及び前記選択されたトランスポートフォーマットに従って配分された前記複数ビットを含む前記トランスポートブロックを前記ユーザ機器へ再送信するステップと、を含む請求項１に記載の方法。
【請求項３】
前記トランスポートフォーマット及び前記第１の冗長バージョンパラメータは、トランスポートフォーマットと第１の冗長バージョンパラメータとの複数の組み合わせのうちのトランスポートフォーマットと第１の冗長バージョンパラメータのそれぞれの組み合わせに対する、前記ユーザ機器における必要とされる信号受信品質に関する情報を含む表から、一緒に選択されることを特徴とする、請求項１または２に記載の方法。
【請求項４】
前記トランスポートフォーマットは、複数のトランスポートフォーマットの各トランスポートフォーマットに対する前記ユーザ機器において必要とされる信号受信品質に関する情報を含む表から選択されることを特徴とする、請求項１乃至３のいずれか１項に記載の方法。
【請求項５】
前記トランスポートフォーマットは、複数のトランスポートフォーマットの各トランスポートフォーマット及び複数の第１の冗長バージョンパラメータの各第１の冗長バージョンパラメータに対して前記ユーザ機器において必要とされる信号受信品質に関する情報を含む表から選択されることを特徴とする、請求項１乃至３のいずれか１項に記載の方法。
【請求項６】
前記方法は更に、
前記動的に選択された第１の冗長バージョンパラメータに基づいて、前記ユーザ機器において必要とされる信号受信品質に関する情報を含む前記表における必要とされる信号受信品質に関する前記情報を更新することを特徴とする、請求項４または５に記載の方法。
【請求項７】
前記第１の冗長バージョンパラメータは、複数のトランスポートフォーマットの各トランスポートフォーマットに対する最適な第１の冗長バージョンパラメータに関する情報を含む表から動的に選択されることを特徴とする、請求項４乃至６のいずれか１項に記載の方法。
【請求項８】
復号化性能は、ブロックエラーレート、ＢＬＥＲ、少なくとも1つのコードブロックにおける複数ビットの信頼度分布、及び少なくとも1つのコードブロックにおけるシステマティックビットとパリティビットの分布、のうちの少なくとも1つに関連することを特徴とする請求項１乃至７のいずれか１項に記載の方法。
【請求項９】
通信ネットワークにおいてユーザ機器へ、複数ビットを含むトランスポートブロックを送信する基地局であって、前記基地局は前記ユーザ機器から受信品質に関する情報を受信するように構成され、前記基地局は、
前記受信品質に基づいてトランスポートフォーマットを選択し、初回の送信のために、前記受信品質に関してかつ前記トランスポートフォーマットに対する復号化性能に基づいて、第１の冗長バージョンパラメータを動的に選択する選択器と、
初回の送信において、前記動的に選択された第１の冗長バージョンパラメータ及び前記選択されたトランスポートフォーマットに従って配分された複数ビットを含む前記トランスポートブロックをユーザへ送信する送信機と、を含む基地局。
【請求項１０】
前記選択器はさらに、前記第１の冗長バージョンパラメータに基づいて第２の冗長バージョンパラメータを選択するように構成され、
前記送信機は、前記動的に選択された第２の冗長バージョンパラメータ及び前記選択されたトランスポートフォーマットに従って配分された前記複数ビットを含む前記トランスポートブロックを前記ユーザ機器へ再送信することを特徴とする、請求項９に記載の基地局。
【請求項１１】
前記トランスポートフォーマット及び前記第１の冗長バージョンパラメータは、トランスポートフォーマットと第１の冗長バージョンパラメータとの複数の組合わせのうちのトランスポートフォーマットと第1の冗長バージョンパラメータのそれぞれの組合せに対する、前記ユーザ機器において必要とされる受信信号品質に関する情報を含む表から、一緒に選択されることを特徴とする、請求項９又は１０に記載の基地局。
【請求項１２】
前記トランスポートフォーマットは、複数のトランスポートフォーマットの各トランスポートフォーマットに対するユーザ機器において必要とされる信号受信品質に関する情報を含む表から選択されることを特徴とする請求項９乃至１１のいずれか１項に記載の基地局。
【請求項１３】
前記トランスポートフォーマットは、複数のトランスポートフォーマットの各トランスポートフォーマット及び複数の第１の冗長バージョンパラメータの各第１のバージョンパラメータに対して前記ユーザ機器において必要とされる受信信号品質に関する情報を含む表から選択されることを特徴とする請求項９乃至１２のいずれか１項に記載の基地局。
【請求項１４】
前記基地局は、前記動的に選択された第１の冗長バージョンパラメータに基づいて、前記ユーザ機器において必要とされる信号受信品質に関する情報を含む前記表における必要とされる信号受信品質に関する前記情報を更新する更新ユニットをさらに含むことを特徴とする請求項１２又は１３に記載の基地局。
【請求項１５】
前記第１の冗長バージョンパラメータは、複数のトランスポートフォーマットの各トランスポートフォーマットに対する最適な第１の冗長バージョンパラメータに関する情報を含む表から動的に選択されることを特徴とする請求項１２乃至１４のいずれか１項に記載の基地局。
【請求項１６】
復号化性能は、ブロックエラーレート、ＢＬＥＲ、少なくとも1つのコードブロックにおける複数ビットの信頼度分布、少なくとも1つのコードブロックにおけるシステマティックビットとパリティビットの分布、のうちの少なくとも1つに関連することを特徴とする請求項９乃至１５のいずれか1項に記載の基地局。
【手続補正２】
【補正対象書類名】明細書
【補正対象項目名】００８６
【補正方法】変更
【補正の内容】
【００８６】
いくつかの実施形態において、トランスポートフォーマット及び第１の冗長バージョンパラメータは、トランスポートフォーマットと第１の冗長バージョンパラメータとの複数の組み合わせのうちのトランスポートフォーマット及び第１の冗長バージョンパラメータの各々の組み合わせに対するユーザ機器１０５において必要とされる受信品質に関する情報を含む表から一緒に選択される。更に表は、ユーザ機器１０５において観測された信号受信品質に対する好適なトランスポートフォーマットと第１の冗長バージョンパラメータとの組み合わせに関する情報を含むものとしてもよい。表は、基地局１０１のコンピュータ可読メモリに格納される。上記の図２（ｂ）のステップ２０１ｂに関連して、この表の一例を表６に示す。必要とされる信号受信品質は、必要とされる受信性能を実現するための信号品質である。信号品質は、ある特定の基準が満たされるものであるべきである。例えば基準は、受信機において１０％ＢＬＥＲであってもよい。